(57)【特許請求の範囲】
【請求項１】
互いに直交する３つの方向をｘ方向、ｙ方向およびｚ方向としたとき、
複数の発光素子がｘ方向およびｙ方向に伸びる平面に沿ってｘ方向に並んだ状態で配置されてなる長尺な光源部と、
前記光源部に沿ってｘ方向に伸びる長尺な形状を有し、その長手方向の周面に、前記光源部からの光を受光する受光面および受光した光を出射する出射面を有する柱状レンズとを備えてなり、
前記光源部は、各発光素子の発光面の中心を含む、ｘ方向およびｚ方向に伸びる第一の平面が、前記柱状レンズの中心軸を含む、ｘ方向およびｚ方向に伸びる第二の平面に対してｙ方向に離間した平面に位置するよう配置されており、
前記柱状レンズの出射面からの光の方向が、前記第二の平面に対して前記第一の平面から離間する方向に傾斜しており、
前記第一の平面に対して前記第二の平面とは反対側の領域に、前記光源部からの光を遮光する遮光体が設けられており、
前記遮光体における前記第二の平面側の端部が、前記第一の平面または当該第一の平面より第二の平面側に離間した平面内に位置されていることを特徴とする光照射装置。
【請求項２】
互いに直交する３つの方向をｘ方向、ｙ方向およびｚ方向としたとき、
複数の発光素子がｘ方向およびｙ方向に伸びる平面に沿ってｘ方向に並んだ状態で配置されてなる長尺な光源部と、
前記光源部に沿ってｘ方向に伸びる長尺な形状を有し、その長手方向の周面に、前記光源部からの光を受光する受光面および受光した光を出射する出射面を有する柱状レンズとを備えてなり、
前記光源部は、各発光素子の発光面の中心を含む、ｘ方向およびｚ方向に伸びる第一の平面が、前記柱状レンズの中心軸を含む、ｘ方向およびｚ方向に伸びる第二の平面に対してｙ方向に離間した平面に位置するよう配置されており、
前記柱状レンズの出射面からの光の方向が、前記第二の平面に対して前記第一の平面から離間する方向に傾斜しており、
前記光源部における前記発光素子の各々には、当該発光素子の発光面を覆う半球形状の封止レンズが設けられており、前記封止レンズの中心軸が前記第一の平面から前記第二の平面側に並進した平面内に位置されていることを特徴とする光照射装置。
【請求項３】
光硬化材料を吐出する吐出部を備えたヘッド部と、前記ヘッド部に隣接して設けられた、請求項１または請求項２に記載の光照射装置とを備えてなり、
前記光照射装置は、前記柱状レンズの出射面からの光が前記ヘッド部から離間する位置に照射されるよう配置されていることを特徴とする光硬化材料処理装置。
【発明の詳細な説明】
【技術分野】
【０００１】
本発明は、例えばインクジェットプリンタや３Ｄプリンタなどに搭載される光照射装置およびこの光照射装置を備えた光硬化材料処理装置に関する。
【背景技術】
【０００２】
従来、印刷分野や電子工業分野などにおいては、処理対象物、例えば保護膜、接着剤、塗料、インク、フォトレジスト、樹脂、配向膜等に対して、硬化処理、乾燥処理、溶融処理、軟化処理、或いは改質処理などを行うために、特定の波長の光を放射する光照射装置が多用されている。
【０００３】
例えば、特許文献１には、紫外線硬化型のインクを用いたインクジェットプリンタが開示されている。このインクジェットプリンタには、インクを射出するヘッド部と、このヘッド部に隣接して設置された光照射装置とが搭載されている。このようなインクジェットプリンタにおいては、ヘッド部には複数の吐出部が設けられている。そして、これらの吐出部から種々のインク（光硬化材料）が記録媒体に射出される。その後、記録媒体に射出されたインクに対して、光照射装置によって光が照射される。
【０００４】
しかしながら、上記のインクジェットプリンタにおいては、長期間使用すると、吐出部からのインクの射出量が不安定になることがある。このような現象が生じる一因は、ヘッド部に隣接して配置された光照射装置からの光が、当該ヘッド部における吐出部に直接ないし間接的に照射されることにより、吐出部においてインクが硬化し  その硬化物によって吐出部からのインクの射出が阻害されるためである。
特に、３Ｄプリンタを代表とする光造形装置においては、被照射面に立体構造物が形成される。そのため、得られる立体構造物によって光照射装置からの光が反射されることにより、その反射光が、ヘッド部における吐出部に照射されやすくなる。その結果、吐出部からの光硬化性材料の射出量が不安定になる現象が生じやすい、という問題がある。
【０００５】
このような問題を解決するため、特許文献２には、光照射装置を、ヘッド部から距離Ｌだけ離間させると共に、当該光照射装置を傾斜させて配置することにより、光照射装置からの光が、当該ヘッド部における吐出部に照射されることを抑制するインクジェットプリンタが開示されている。
しかしながら、このインクジェットプリンタにおいては、光照射装置をヘッド部から相当に大きく離間させると共に傾斜して配置するため、装置全体が大型のものとなる、という問題がある。
【先行技術文献】
【特許文献】
【０００６】
【特許文献１】特開２００４−３５８７６９号公報
【特許文献２】特開２００９−２２６６９２号公報
【発明の概要】
【発明が解決しようとする課題】
【０００７】
そこで、本発明の目的は、隣接する他の部位に光が照射されることを防止または抑制することができ、しかも、装置全体の小型化を図ることができる光照射装置およびこの光照射装置を備えた光硬化材料処理装置を提供することにある。
【課題を解決するための手段】
【０００８】
本発明の光照射装置は、互いに直交する３つの方向をｘ方向、ｙ方向およびｚ方向としたとき、
複数の発光素子がｘ方向およびｙ方向に伸びる平面に沿ってｘ方向に並んだ状態で配置されてなる長尺な光源部と、
前記光源部に沿ってｘ方向に伸びる長尺な形状を有し、その長手方向の周面に、前記光源部からの光を受光する受光面および受光した光を出射する出射面を有する柱状レンズとを備えてなり、
前記光源部は、各発光素子の発光面の中心を含む、ｘ方向およびｚ方向に伸びる第一の平面が、前記柱状レンズの中心軸を含む、ｘ方向およびｚ方向に伸びる第二の平面に対してｙ方向に離間した平面に位置するよう配置されており、
前記柱状レンズの出射面からの光の方向が、前記第二の平面に対して前記第一の平面から離間する方向に傾斜しており、
前記第一の平面に対して前記第二の平面とは反対側の領域に、前記光源部からの光を遮光する遮光体が設けられており、
前記遮光体における前記第二の平面側の端部が、前記第一の平面または当該第一の平面より第二の平面側に離間した平面内に位置されていることを特徴とする。
【００１０】
また、本発明の光照射装置は、互いに直交する３つの方向をｘ方向、ｙ方向およびｚ方向としたとき、
複数の発光素子がｘ方向およびｙ方向に伸びる平面に沿ってｘ方向に並んだ状態で配置されてなる長尺な光源部と、
前記光源部に沿ってｘ方向に伸びる長尺な形状を有し、その長手方向の周面に、前記光源部からの光を受光する受光面および受光した光を出射する出射面を有する柱状レンズとを備えてなり、
前記光源部は、各発光素子の発光面の中心を含む、ｘ方向およびｚ方向に伸びる第一の平面が、前記柱状レンズの中心軸を含む、ｘ方向およびｚ方向に伸びる第二の平面に対してｙ方向に離間した平面に位置するよう配置されており、
前記柱状レンズの出射面からの光の方向が、前記第二の平面に対して前記第一の平面から離間する方向に傾斜しており、
前記光源部における前記発光素子の各々には、当該発光素子の発光面を覆う半球形状の封止レンズが設けられており、前記封止レンズの中心軸が前記第一の平面から前記第二の平面側に並進した平面内に位置されていることを特徴とする。
【００１１】
本発明の光硬化材料処理装置は、光硬化材料を吐出する吐出部を備えたヘッド部と、前記ヘッド部に隣接して設けられた、上記の光照射装置とを備えてなり、
前記光照射装置は、前記柱状レンズの出射面からの光が前記ヘッド部から離間する位置に照射されるよう配置されていることを特徴とする。
【発明の効果】
【００１２】
本発明の光照射装置によれば、光源部および柱状レンズが特定の位置関係で配置されており、柱状レンズの出射面からの光の方向が、第二の平面に対して第一の平面から離間する方向に傾斜しているため、隣接する他の部位に光が照射されることを防止または抑制することができる。しかも、隣接する他の部位に対して、光照射装置を離間して配置することが不要であるため、装置全体の小型化を図ることができる。
【図面の簡単な説明】
【００１３】
【図１】本発明の光照射装置の一例における筐体を切断して示す斜視図である。
【図２】本発明の光照射装置の一例における筐体を切断して示す説明用断面図である。
【図３】光源部、柱状レンズおよびヒートシンクをｙ方向から見た説明図である。
【図４】本発明の光照射装置の他の例における要部の構成を示す説明図である。
【図５】本発明の光硬化材料処理装置の一例における構成の概略を示す説明図である。
【図６】第１の保持部材とは別個の遮光体が設けられた構成を示す説明図である。
【図７】柱状レンズの変形例を示す説明図である。
【図８】柱状レンズの他の変形例を示す説明図である。
【図９】２つの基板の各々の表面に、複数の発光素子が当該基板の表面に沿ってｘ方向に並んだ状態で配置されてなる光源部を備えた構成を示す説明用断面図である。
【図１０】第１の保持部材１１の一側面に光反射膜が形成された構成を示す説明図である。
【図１１】第２の保持部材１１の一側面に光吸収膜が形成された構成を示す説明図である。
【図１２】実施例に係る光照射装置によるｙ方向における照度分布を示すグラフである。
【発明を実施するための形態】
【００１４】
以下、本発明の実施の形態について説明する。
図１は、本発明の光照射装置の一例における筐体を切断して示す斜視図であり、図２は、本発明の光照射装置の一例における筐体を切断して示す説明用断面図である。図において、 それぞれ矢印で示すｘ方向、ｙ方向およびｚ方向は、互いに直交する３つの方向である。
この光照射装置１は、下面が開口する直方体状の筐体１０を有する。図示の例の筐体１０は、上面および下面がｘ方向（図２において紙面に垂直な方向）およびｙ方向に伸びる平面とされ、４つの側面のうち互いに対向する２つの側面がｘ方向およびｚ方向に伸びる平面、その他の互いに対向する２つの側面がｙ方向およびｚ方向に伸びる平面とされている。
【００１５】
筐体１０の内部には、ｘ方向に伸びる長尺な光源部２０が設けられている。光源部２０の斜め下方には、光源部２０に沿って伸びる長尺な形状を有する柱状レンズ３０が設けられている。筐体１０の開口には、それぞれ柱状レンズ３０を挟持する第１の保持部材１１および第２の保持部材１２が設けられている。光源部２０の上面には、例えばアルミニウムよりなるヒートシンク４０が設けられている。このヒートシンク４０には、それぞれ上方に突出する複数のフィン４１が形成されている。また、ヒートシンク４０の上方には、冷却ファン４５が設けられている。
【００１６】
光源部２０は、長尺な矩形の基板２１を有する。この基板２１は、ｘ方向およびｙ方向に伸びる平面に沿って、当該ｘ方向に伸びる姿勢で配置されている。基板２１の表面（図２において下面）には、矩形の板状の複数の発光素子２５が、当該基板２１の表面すなわちｘ方向およびｙ方向に伸びる平面に沿ってｘ方向に並んだ状態で配置されている。発光素子２５の各々には、当該発光素子２５の発光面を覆う半球形状の封止レンズ２２が、基板２１の表面から突出するよう設けられている。そして、光源部２０は、各発光素子２５の発光面が下方を向く姿勢で配置されている。
【００１７】
光源部２０において、基板２１を構成する材料としては、窒化アルミニウム、アルミナセラミックス等のセラミックス材料、ガラス繊維補強型エポキシ樹脂等の複合樹脂材料などを用いることができる。
また、封止レンズ２２を構成する材料としては、石英ガラス、ホウ珪酸ガラス等のガラス材料、あるいは、シリコーン樹脂、アクリル樹脂、エポキシ樹脂などの透光性樹脂材料などを用いることができる。
また、発光素子２５としては、所要の光例えば紫外線を出射する発光ダイオードを用いることができる。
【００１８】
この例の柱状レンズ３０は、長手方向に垂直な断面が円形のものである。柱状レンズ３０は、その長手方向（ｘ方向）の周面における光源部２０に対向する領域に、当該光源部２０からの光を受光する受光面３１を有し、当該周面における受光面３１と反対側の領域に、受光された光を出射する出射面３２を有する。図示の柱状レンズ３０においては、後述する第１の保持部材１１および第２の保持部材１２から上方に露出する領域が受光面３１とされ、第１の保持部材１１および第２の保持部材１２から下方に露出する領域が出射面３２とされている。
柱状レンズ３０を構成する材料としては、石英ガラスやホウ珪酸ガラスなどのガラス材料を用いることができる。
【００１９】
第１の保持部材１１および第２の保持部材１２の各々は、柱状レンズ３０に沿って伸びる長尺な板状の形状を有し、それぞれの長手方向（ｘ方向）の一側面が互いに離間して対向するよう配置されている。図示の例では、第１の保持部材１１および第２の保持部材１２の各々における互いに対向する一側面は、柱状レンズ３０の長手方向の周面の一部に適合する曲面とされている。そして、柱状レンズ３０は、第１の保持部材１１および第２の保持部材１２の各々の一側面の間に挟持されている。
【００２０】
そして、本発明の光照射装置１においては、光源部２０は、各発光素子２５の発光面の中心Ｐを含む、ｘ方向およびｚ方向に伸びる第一の平面Ｆが、柱状レンズ３０の中心軸Ｑを含む、ｘ方向およびｚ方向に伸びる第二の平面Ｓに対してｙ方向に離間した平面に位置するよう配置されている。また、この例における第１の保持部材１１は、光源部２０からの光を遮光する遮光体としての機能を有する。具体的に説明すると、第１の保持部材１１は、第一の平面Ｆに対して第二の平面Ｓとは反対側の領域に設けられている。また、第１の保持部材１１は、ｙ方向における第二の平面Ｓ側の端部が第一の平面Ｆまたは第一の平面Ｆより第二の平面Ｓ側に離間した平面上に位置するよう配置されている。これにより、光源部２０から放射される光のうち、第一の平面Ｆに沿って進む光および第２の平面Ｓから離間する方向に進む光が、遮光体である第１の保持部材１１によって遮光される。その結果、柱状レンズ３０の出射面３２からの光は、ｚ方向に対して第一の平面Ｆから離間する方向に傾斜した方向に出射される。そして、柱状レンズ３０の出射面３２からの光は、ｘ方向およびｙ方向に伸びる被照射面Ｗに照射される。
【００２１】
以上において、第一の平面Ｆと第二の平面Ｓとの離間距離は、柱状レンズ３０および遮光体である第１の保持部材１１などの形状や寸法に応じて適宜設定されるが、ｙ方向における柱状レンズ３０の中心軸Ｑから第一の平面Ｆ側の周面までの距離（図示の例では柱状レンズ３０の半径）の０．３〜１．５倍であることが好ましい。
また、第二の平面Ｓに対する発光素子２５の発光面の中心Ｐと柱状レンズ３０の中心軸Ｑとを最短で結ぶ直線のなす角は、例えば１０〜６０°である。
【００２２】
このような光照射装置１によれば、光源部２０および柱状レンズ３０が特定の位置関係で配置されており、柱状レンズ３０の出射面３２からの光の方向が、ｚ方向に対して第一の平面Ｆから離間する方向に傾斜しているため、一側（図２において左側）に隣接する他の部位に光が直接乃至間接的に照射されることを防止または抑制することができる。しかも、隣接する他の部位に対して、光照射装置１を大きく離間して配置することが不要であるため、装置全体の小型化を図ることができる。
【００２３】
図４は、本発明の光照射装置の他の例における要部の構成を示す説明図である。この光照射装置の光源部２０においては、各発光素子２５の各々に設けられた封止レンズ２２の各々は、その中心軸Ｌが第一の平面Ｆから第二の平面Ｓ側に並進した平面内に位置されるよう形成されている。その他の構成は、図１および図２に示す光照射装置と同様である。  封止レンズ２２の中心軸Ｌと第一の平面Ｆとの離間距離は、発光素子２５および封止レンズ２２の寸法に応じて適宜設定されるが、封止レンズ２２の半径の０．３〜０．７倍であることが好ましい。
【００２４】
このような光照射装置によれば、図１および図２に示す光照射装置と同様の効果が得られる。
また、この光照射装置おいては、封止レンズ２２の中心軸Ｌが、第一の平面Ｆから第二の平面Ｓ側に並進した平面内に位置されている。そのため、発光素子２５から第一の平面Ｆに沿って進む光および第一の平面Ｆに対して第二の平面Ｓから離間する方向に進む光の一部が、封止レンズ２２の表面において、第一の平面Ｆから第二の平面Ｓに接近する方向に屈折する。これにより、光源部２０から放射される光のうち、遮光体によって遮光される光の量を小さくすることができる。そのため、光の利用効率の向上を図ることができる。
【００２５】
図５は、本発明の光硬化材料処理装置の一例における構成の概略を示す説明図である。この光硬化材料処理装置は、インクジェットプリンタとして構成されたものであって、光硬化材料である紫外線硬化性のインクを記録媒体Ｍに吐出する複数の吐出部（図示省略）を備えた直方体状のヘッド部２を有する。このヘッド部２の両側の各々には、記録媒体Ｍに吐出された光硬化材料に対して紫外線を照射する光照射装置１が、当該ヘッド部２に隣接して配置されている。この光照射装置１は、図１および図２に示す構成のものである。また、図２を参照して説明すると、光照射装置１の各々は、柱状レンズ３０の出射面３２からの光がヘッド部２から離間する位置に照射されるよう配置されている。具体的には、光照射装置１の各々は、第一の平面Ｆ（図２参照）がヘッド部２に接近した姿勢で配置されている。また、ヘッド部２および光照射装置１の各々は、ｙ方向に伸びるガイドレール５にｙ方向に移動自在に支持されている。
【００２６】
この光硬化材料処理装置においては、記録媒体Ｍが、適宜の搬送手段（図示省略）によってｘ方向に間欠的に搬送される。そして、ヘッド部２をｙ方向に移動させながら、搬送された記録媒体Ｍに向かって、当該ヘッド部２の吐出部からインクを吐出させる。これにより、記録媒体Ｍにはインクが付着する。その後、記録媒体Ｍに付着したインクに、光照射装置１によって光が照射されることにより、当該インクが硬化して記録媒体Ｍに定着する。
【００２７】
このような光硬化材料処理装置によれば、光照射装置１の各々における柱状レンズ３０の出射面３２からの光がヘッド部２から離間する位置に照射されるため、ヘッド部２の吐出部に光が照射されることを防止または抑制することができる。しかも、光照射装置１の各々をヘッド部２に対して離間して配置することが不要であるため、光硬化材料処理装置全体の小型化を図ることができる。
【００２８】
以上、本発明の実施の形態について説明したが、本発明は上記の実施の形態に限定されず、以下のような種々の変更を加えることが可能である。
（１）第２の保持部材１２としては、柱状レンズ３０に沿って伸びる長尺な形状のものの代わりに、例えば柱状レンズ３０の長手方向の両端において挟持する構成のものを用いることができる。
（２）図６に示すように、第一の平面Ｆに対して第二の平面Ｓとは反対側の領域に、第１の保持部材１１とは別個に、ｘ方向（図６において紙面に垂直な方向）に伸びる長尺な形状を有する遮光体３５が設けられていてもよい。このような遮光体３５を設ける場合には、第１の保持部材１１には、遮光体３５としての機能が不要であるため、例えば柱状レンズ３０の長手方向の両端において挟持する構成のものを用いることができる。
【００２９】
（３）柱状レンズ３０は、断面が円形のものに限られず、種々の形状のものを用いることができる。具体的には、柱状レンズ３０としては、受光面３１および出射面３２において、光が第一の平面Ｆから離間する方向に屈折するものが好ましく、例えば図７に示すように、受光面３１が平面で出射面３２が凸面である形態のもの、図８に示すように、受光面３１の一部が凸面で出射面３２が平面である形態のものなどを用いることができる。
【００３０】
（４）図９に示すように、光源部２０は、それぞれｘ方向（図９において紙面に垂直な方向）に伸びる２つの基板２１を有し、これらの基板２１の各々の表面に、複数の発光素子２５が、当該基板２１の表面に沿ってｘ方向に並んだ状態で配置されてなるものであってもよい。このような構成の光源部２０を用いる場合には、一の基板２１に配置された各発光素子２５の発光面の中心Ｐ１を含む、ｘ方向およびｚ方向に伸びる第一の平面Ｆ１、並びに他の基板２１に配置された各発光素子の発光面の中心Ｐ２を含む、ｘ方向およびｚ方向に伸びる第一の平面Ｆ２の各々が、柱状レンズ３０の中心軸Ｑを含む、ｘ方向およびｚ方向に伸びる第二の平面Ｓに対してｙ方向に離間した平面に位置するよう配置されていればよい。
【００３１】
（５）図１０に示すように、第１の保持部材１１の一側面と柱状レンズ３０の周面との間に、光反射部材１５を設けることができる。この光反射部材１５は、第１の保持部材１１の一側面に固定されていても、柱状レンズ３０の周面に固定されていてもよい。光反射部材１５を構成する材料としては、第１の保持部材１１を構成するアルミニウムなどの金属の表面に金属多層膜を蒸着させたもの、またはポリテトラフルオロエチレン等のフッ素樹脂などを用いることができる。このような構成によれば、光反射膜１５による反射光は、第二の平面Ｓに対して第一の平面Ｆから離間する方向に傾斜した方向に進む。そのため、光の利用効率の向上を図ることができる。
【００３２】
（６）図１１に示すように、第２の保持部材１２の一側面と柱状レンズ３０の周面との間に、光吸収部材１６が形成されていてもよい。この光吸収部材１６は、第２の保持部材１６の一側面に固定されていても、柱状レンズ３０の周面に固定されていてもよい。光吸収部材１６を構成する材料としては、第２の保持部材１２を構成するアルミニウムなどの金属の表面を黒アルマイト処理したもの、または、黒化したポリテトラフルオロエチレン等のフッ素樹脂などを用いることができる。
このような構成によれば、柱状レンズ３０からの光が、第２の保持部材１２の一側面によって反射されることがない。そのため、柱状レンズ３０の出射面３２から、第二の平面Ｓに対して第一の平面Ｆから離間する方向に傾斜した方向に進む光が照射されることを防止することができる。
【実施例】
【００３３】
図４に示す構成に従って封止レンズを形成したこと以外は、図１および図２に示す構成に従い、下記の仕様の光照射装置を作製した。
光源部における基板は、材質が窒化アルミウニム、寸法が１０５ｍｍ×２０ｍｍ×１．０ｍｍである。発光素子は、ピーク波長が３９５ｎｍの発光ダイオードであり、出力が７００ｍＷ、寸法が１．０ｍｍ×１．０ｍｍ×０．１ｍｍである。発光素子の数は２５個であり、配置ピッチが４．０ｍｍである。封止レンズは、材質がシリコーン樹脂、半径が１．１ｍｍであり、中心軸Ｌと第一の平面Ｆとの離間距離が０．５ｍｍとなるよう形成されている。
柱状レンズは、材質が石英ガラス、全長が１１０ｍｍ、直径が１０ｍｍであり、第一の平面Ｆと第二の平面Ｓとの離間距離が５ｍｍ、第二の平面Ｓに対する発光素子の発光面の中心Ｐと柱状レンズの中心軸Ｑとを最短で結ぶ直線のなす角が４５°となるよう配置されている。また、第１の保持部材および第２の保持部材は、材質がアルミニウム、全長が１１０ｍｍである。また、第１の保持部材は、ｙ方向における第二の平面Ｓ側の端部が第一の平面Ｆ上に位置するよう配置されている。
【００３４】
上記の光照射装置によって、柱状レンズからｚ方向に１０ｍｍ離間した、ｘ方向およびｙ方向に伸びる被照射面に光を照射した。そして、被照射面のｙ方向における照度分布を測定した。結果を図１２に示す。
図１２において、縦軸は相対照度である。また、横軸は、被照射面と第二の平面Ｓとが交差する基準線からのｙ方向の距離であり、第一の平面から離間する方向を正の値とし、これと反対の方向を負の値として示している。
【００３５】
図１２に示す結果から明らかなように、上記の光照射装置によれば、被照射面のｙ方向において、第二の平面Ｓから第一の平面Ｆと反対側の方向に１５ｍｍ離間した位置に照度ピークを有する照射領域が形成される。また、被照射面のｙ方向において、第二の平面Ｓより第一の平面Ｆ側の領域の照度が実質的に０であることが確認された。
以上のことから、上記の光照射装置によれば、一側に隣接する他の部位に光が直接乃至間接的に照射されることを防止または抑制することができる。
【符号の説明】
【００３６】
１    光照射装置
２    ヘッド部
５    ガイドレール
１０  筐体
１１  第１の保持部材
１２  第２の保持部材
１５  光反射部材
１６  光吸収部材
２０  光源部
２１  基板
２２  封止レンズ
２５  発光素子
３０  柱状レンズ
３１  受光面
３２  出射面
３５  遮光体
４０  ヒートシンク
４１  フィン
４５  冷却ファン
Ｆ，Ｆ１，Ｆ２  第一の平面
Ｌ    封止レンズの中心軸
Ｍ    記録媒体
Ｐ    発光素子の発光面の中心
Ｑ    柱状レンズの中心軸
Ｓ    第二の平面
Ｗ    被照射面
【図１】
0006323238.tif 000002
【図２】
0006323238.tif 000003
【図３】
0006323238.tif 000004
【図４】
0006323238.tif 000005
【図５】
0006323238.tif 000006
【図６】
0006323238.tif 000007
【図７】
0006323238.tif 000008
【図８】
0006323238.tif 000009
【図９】
0006323238.tif 000010
【図１０】
0006323238.tif 000011
【図１１】
0006323238.tif 000012
【図１２】
0006323238.tif 000013